【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
コンピューティングデバイス上にブックマークツールバーを表示する方法であって、
該方法は、
（ａ）新しいタブを開くための第１のユーザ入力を該コンピューティングデバイス上で受信することと、
（ｂ）該第１のユーザ入力の受信に応答して、ブックマークされたページへナビゲートするために、ボタンを伴うツールバーを表示することと、
（ｃ）該タブ内で新しいサイトへナビゲートするための第２のユーザ入力を該コンピューティングデバイス上で受信することと、
（ｄ）該第２のユーザ入力に応答して、該ツールバーを除去することと
を含む、方法。
【請求項２】
前記ツールバーは、受信すること（ａ）に応答した場合にのみ表示される、請求項１に記載の方法。
【請求項３】
前記表示すること（ｂ）は、ユーザによって選択された選好設定に基づいて前記ツールバーを表示することを含む、請求項１に記載の方法。
【請求項４】
コンピューティングデバイス上にブックマークツールバーを表示するシステムであって、
該システムは、
該コンピューティングデバイス上に実装されたブックマークツールバーモジュールを備え、該ブックマークツールバーモジュールは、
（ｉ）新しいタブを開くための第１のユーザ入力を受信することと、
（ｉｉ）該第１のユーザ入力の受信に応答して、ブックマークされたページへナビゲートするために、ボタンを伴うツールバーを表示することと、
（ｉｉｉ）該タブ内で新しいサイトへナビゲートするための第２のユーザ入力を受信することと、
（ｉｖ）該第２のユーザ入力に応答して、該ツールバーを除去することと
を行うように構成されている、システム。
【請求項５】
前記ツールバーは、前記ユーザ入力に応答した場合にのみ表示される、請求項４に記載のシステム。
【請求項６】
前記ブックマークツールバーモジュールは、ユーザによって選択された選好設定に基づいて前記ツールバーを表示するようにさらに構成されている、請求項４に記載のシステム。
【請求項７】
制御論理が記憶されたコンピュータプログラム製品であって、該制御論理は、コンピュータに、アプリケーションの設定に対する変更の通知を管理させ、
該制御論理は、
該コンピュータに、新しいタブを開くための第１のユーザ入力を受信させる第１のコンピュータ読み取り可能プログラムコードと、
該コンピュータに、該第１のユーザ入力の受信に応答して、ブックマークされたページへナビゲートするために、ボタンを伴うツールバーを表示させる第２のコンピュータ読み取り可能プログラムコードと、
該コンピュータに、該タブ内で新しいサイトへナビゲートするための第２のユーザ入力を受信させる第３のコンピュータ読み取り可能プログラムコードと、
該コンピュータに、該第２のユーザ入力に応答して、該ツールバーを除去させる第４のコンピュータ読み取り可能プログラムコードと
を含む、コンピュータプログラム製品。
【請求項８】
前記ツールバーは、前記ユーザ入力に応答した場合にのみ表示される、請求項７に記載のコンピュータプログラム製品。
【請求項９】
前記ツールバーは、ユーザによって選択された選好設定に基づいて表示される、請求項７に記載のコンピュータプログラム製品。
【請求項１０】
コンピューティングデバイス上にブックマークツールバーを表示する方法であって、
該方法は、
（ａ）ユーザがアドレスバー上でポインタをホバリングしていることを示す第１のユーザ入力を該コンピューティングデバイス上で受信することであって、該アドレスバーが少なくとも１つのアドレスフィールドを含む、ことと、
（ｂ）該第１のユーザ入力の受信に応答して、ブックマークされたページへナビゲートするために、ボタンを伴う該ブックマークツールバーを表示することと、
（ｃ）新しいサイトへナビゲートするための第２のユーザ入力を該コンピューティングデバイス上で受信することと、
（ｄ）該第２のユーザ入力に応答して、該ブックマークツールバーを除去することと
を含む、方法。
【手続補正２】
【補正対象書類名】明細書
【補正対象項目名】００１０
【補正方法】変更
【補正の内容】
【００１０】
本発明のさらなる実施形態、特徴、および利点、ならびに本発明の種々の実施形態の構造および動作は、添付の図面を参照して、以下に詳述される。
例えば、本発明は以下の項目も提供する。
（項目１）
コンピューティングデバイス上でブラウザ内に新しいタブを作成する方法であって、
（ａ）該コンピューティングデバイス上で、新しいタブページを生成することであって、該新しいタブページは、ユーザに合わせてカスタマイズされるナビゲーションオプションを含む、ことと、
（ｂ）該ユーザに対して、該ブラウザ上の該新しいタブ内に該新しいタブページを表示することと
を含む、方法。
（項目２）
上記生成すること（ａ）は、上記新しいタブページを生成することを含み、該新しいタブページは、頻繁に訪問されるサイトの少なくとも１つのサムネイル画像を含む、項目１に記載の方法。
（項目３）
（ｃ）上記ユーザの上記サムネイルの選択に応答して、上記サイトを訪問することをさらに含む、項目２に記載の方法。
（項目４）
（ｄ）ページを訪問することと、
（ｅ）該訪問されるページのためのサイトを決定することと
をさらに含む、項目２に記載の方法。
（項目５）
上記決定すること（ｅ）は、上記訪問されるページに到達するために辿られるパスに基づいて、該訪問されるページのためのサイトを決定することを含む、項目４に記載の方法。
（項目６）
（ｆ）代表ページのファイルサイズと、上記頻繁に訪問されるサイトのための別のページのファイルサイズとに基づいて、上記サイトの代表ページを決定することと、
（ｇ）該代表ページに基づいて、上記サムネイル画像を生成することと
をさらに含む、項目４に記載の方法。
（項目７）
（ｆ）上記代表ページとのユーザインタラクションの数と、上記サイトのための別のページとのユーザインタラクションの数とに基づいて、該サイトのためのページを決定することと、
（ｇ）該代表ページに基づいて、上記サムネイル画像を生成することと
をさらに含む、項目４に記載の方法。
（項目８）
（ｄ）サイトのページへの訪問頻度と、どれくらい最近に該サイトが訪問されたかとに基づいて、該サイトが頻繁に訪問されるサイトであるか否かを決定することをさらに含む、項目３に記載の方法。
（項目９）
（ｃ）上記ブラウザ上の上記新しいタブ内にブックマークツールバーを表示することをさらに含む、項目３に記載の方法。
（項目１０）
ブラウザ内に新しいタブを作成するシステムであって、
新しいタブページを表示する新しいタブモジュールを含み、該新しいタブページは、ユーザに合わせてカスタマイズされるナビゲーションオプションを含み、該新しいタブモジュールは、該ブラウザ上の該新しいタブ内に、該ユーザに対して該新しいタブページを表示する、システム。
（項目１１）
上記新しいタブページは、頻繁に訪問されるサイトのサムネイル画像を含む、項目１０に記載のシステム。
（項目１２）
ユーザの上記サムネイルの選択に応答して上記サイトを訪問するウェブページレンダリングモジュールをさらに含む、項目１１に記載のシステム。
（項目１３）
上記ウェブページレンダリングモジュールは、ページを訪問し、該訪問されるページのためのサイトを決定するページマッチャーモジュールをさらに備える、項目１２に記載のシステム。
（項目１４）
上記ページマッチャーモジュールは、上記訪問されるページに到達するために辿られるパスに基づいて、該訪問されるページのためのサイトを決定する、項目１３に記載のシステム。
（項目１５）
上記サイトのための代表ページを決定するページセレクターモジュールであって、該決定は、該代表ページのファイルサイズと、上記頻繁に訪問されるサイトのための別のページのファイルサイズとに基づいている、ページセレクターモジュールと、
サムネイルキャプチャモジュールであって、該代表ページに基づいて上記サムネイル画像を生成し、履歴記憶内に該サムネイル画像を記憶する、サムネイルキャプチャモジュールと
をさらに含む、項目１３に記載のシステム。
（項目１６）
上記サイトのための代表ページを決定するページセレクターモジュールであって、該決定は、該代表ページとのユーザインタラクションの数と、該サイトのための別のページとのユーザインタラクションの数とに基づいている、ページセレクターモジュールと、
サムネイルキャプチャモジュールであって、該代表ページに基づいて上記サムネイル画像を生成し、履歴記憶内に該サムネイル画像を記憶する、サムネイルキャプチャモジュールと
をさらに含む、項目１３に記載のシステム。
（項目１７）
最多訪問ページモジュールは、サイトのページへの訪問頻度と、どれくらい最近に該サイトが訪問されたかとに基づいて、該サイトが頻繁に訪問されるサイトであるか否かを決定する、項目１２に記載のシステム。
（項目１８）
ブックマークツールバーモジュールをさらに含み、該ブックマークツールバーモジュールは、上記ブラウザ上の上記新しいタブページ内にブックマークツールバーを表示する、項目１１に記載のシステム。
（項目１９）
コンピューティングデバイス上でブックマークツールバーを表示する方法であって、
（ａ）該コンピューティングデバイス上でユーザ入力を受信することであって、該ユーザ入力は、新しいサイトへナビゲートするためのユーザの意図を信号伝達する、ことと、
（ｂ）ボタンを伴うツールバーを表示することであって、該ツールバーは、該ユーザ入力に応答してブックマークされたページへナビゲートする、ことと
を含む、方法。
（項目２０）
上記受信すること（ａ）は、新しいタブを開くためにユーザ入力を受信することを含む、項目１９に記載の方法。
（項目２１）
上記受信すること（ａ）は、ユーザインターフェースディスプレイの一部上をホバリングすることを含む、項目１９に記載の方法。
（項目２２）
コンピューティングデバイス上でブラウザ内に新しいタブを作成するシステムであって、
新しいタブページを生成する手段であって、該新しいタブページは、ユーザに合わせてカスタマイズされるナビゲーションオプションを含む、手段と、
該ブラウザ上の該新しいタブ内に、該ユーザに対する該新しいタブページを表示する手段と
を含む、システム。